(57)【要約】      （修正有）【課題】遊技盤にガイドレールの先端をビス止めにより取り付けた場合であっても、外観性を損なわせない、並びに、遊技球を予期しない方向に転動させないことが可能な遊技機を提供する。【解決手段】遊技盤に遊技領域１１を囲うように取り付けられた外ガイドレール１２及び内ガイドレール１３と、上記外ガイドレール１２及び上記内ガイドレール１３の間に区画され、上記遊技領域１１に遊技球を案内するガイド通路１４と、上記遊技領域１１に臨む上記内ガイドレール１３の先端に設けられ、上記遊技領域１１に案内された上記遊技球が上記ガイド通路１４に戻ることを防止する球戻り防止部材５０と、を少なくとも備える遊技機において、上記内ガイドレール１３の先端に、上記内ガイドレール１３を上記遊技盤にビスにより取り付けるためのビス止め部３０を設けると共に、上記ビス止め部３０を被覆するように上記球戻り防止部材５０を設けて構成されている。【選択図】図３
2011083350.tif 000002
【特許請求の範囲】
【請求項１】
入賞装置、風車、障害釘等の遊技部品が配置された遊技領域を有する遊技盤と、
前記遊技盤に前記遊技領域を囲うように取り付けられた外ガイドレール及び内ガイドレールと、
前記外ガイドレール及び前記内ガイドレールの間に区画され、前記遊技領域に遊技球を案内するガイド通路と、
前記遊技領域に臨む前記内ガイドレールの先端に設けられ、前記遊技領域に案内された前記遊技球が前記ガイド通路に戻ることを防止する球戻り防止装置と、を少なくとも備える遊技機において、
前記内ガイドレールの先端に、前記内ガイドレールを前記遊技盤にビスにより取り付けるためのビス止め部を設けると共に、前記ビス止め部を被覆するように前記球戻り防止装置を設けたこと、
を特徴とする遊技機。
【請求項２】
前記ビス止め部及び前記球戻り防止装置が当接する当接面の形状は、同形状をなして形成されること、
を特徴とする請求項１記載の遊技機。
【発明の詳細な説明】
【技術分野】
【０００１】
本発明は、遊技機に関し、より詳細には、表示装置、飾り部材等の遊技部品が配置された遊技領域を有する遊技盤に取り付けられたガイドレールを少なくとも備えた遊技機に関する。
【背景技術】
【０００２】
従来、遊技機の遊技盤に取り付けられるガイドレールは、ステンレス等の金属製素材により形成されている。また、ガイドレールが遊技盤に取り付けられる際、遊技盤にガイドレールを打ち込んで圧入により取り付けられる場合と、遊技盤にビスを嵌挿させてビス止めにより取り付けられる場合とがある。
【０００３】
近年、ガイドレールは、ガイドレール自体の材料費やガイドレールの形状に加工するための製作費等のコストダウンを図るため、金属製素材ではなく、プラスチック製素材により形成されることが多くなってきている。
【０００４】
例えば、特許文献１では、ガイドレールを合成樹脂により形成すると共に、このガイドレールの長手方向に沿った後側縁へ突出する複数の固定部材を遊技盤に開設された取り付け孔に、打ち込んで圧入することにより嵌合させた弾球遊技機に関する技術が開示されている。
【先行技術文献】
【特許文献】
【０００５】
【特許文献１】特開２００５−２７０１１９号公報
【発明の概要】
【発明が解決しようとする課題】
【０００６】
ところで、ガイドレールは、通常、湾曲形状を維持するように遊技盤に取り付けられている。このような場合、ガイドレール、特に、内ガイドレールの先端には、ガイドレールが元の形状に戻ろうとする付勢力が作用している。
【０００７】
したがって、上記特許文献１は、プラスチック製素材により形成されたガイドレールを遊技盤に打ち込んで圧入により取り付けられたものであるが、遊技盤に内ガイドレールの先端をより強固に取り付けるためには、内ガイドレールの先端を圧入により取り付けるよりも、ビス止めにより取り付ける方が好ましいという技術的課題がある。
【０００８】
一方、遊技盤にガイドレールの先端をビス止めにより取り付ける場合、ガイドレールの先端の幅方向や軸方向にビス止めするためのビス止め部を設ける必要があり、このビス止め部が遊技者側から目視可能な状態になるため、遊技機の外観性を損なわせるという技術的課題がある。
【０００９】
また、ガイドレールの先端近傍は、遊技球が必ず通過する個所であり、仮に、ビス止め部の上を遊技球が通過すると、遊技球は予期しない方向に転動してしまう可能性があり、遊技者を不快にさせてしまうという技術的課題がある。
【００１０】
本発明の目的は、上記従来の実状を鑑みて、遊技盤にガイドレールの先端をビス止めにより取り付けた場合であっても、外観性を損なわせない、並びに、遊技球を予期しない方向に転動させないことが可能な遊技機を提供することにある。
【課題を解決するための手段】
【００１１】
上記課題を解決するために、本発明に係る遊技機は、入賞装置、風車、障害釘等の遊技部品が配置された遊技領域を有する遊技盤と、上記遊技盤に上記遊技領域を囲うように取り付けられた外ガイドレール及び内ガイドレールと、上記外ガイドレール及び上記内ガイドレールの間に区画され、上記遊技領域に遊技球を案内するガイド通路と、上記遊技領域に臨む上記内ガイドレールの先端に設けられ、上記遊技領域に案内された上記遊技球が上記ガイド通路に戻ることを防止する球戻り防止部材とを少なくとも備える遊技機において、上記内ガイドレールの先端に、上記内ガイドレールを上記遊技盤にビスにより取り付けるためのビス止め部を設けると共に、上記ビス止め部を被覆するように上記球戻り防止部材５０を設けて構成されている。
【発明の効果】
【００１２】
本発明によれば、遊技盤にガイドレールの先端をビス止めにより取り付けた場合あっても、外観性を損なわせない、並びに、遊技球を予期しない方向に転動させないことが可能な遊技機を提供することができる。
【図面の簡単な説明】
【００１３】
【図１】本発明の一実施の形態である遊技機の遊技盤に係る構成を模式的に示した正面図である。
【図２】本発明の一実施の形態である遊技機の遊技盤に外ガイドレール及び内ガイドレールを取り付けた状態を模式的に示した斜視図である。
【図３】本発明の一実施の形態である遊技機の遊技盤に内ガイドレールの他端に設けられたビス止め部を取り付けた状態を模式的に示した拡大斜視図である。
【図４】本発明の一実施の形態である遊技機の遊技盤に内ガイドレールの他端に設けられたビス止め部を取り付け、更に、ビス止め部に球戻り防止部材を設けた状態を模式的に示した拡大斜視図である。
【図５】本発明の一実施の形態である遊技機の遊技盤に設けられた球戻り防止部材の構成を模式的に示した斜視図である。
【発明を実施するための形態】
【００１４】
以下、図面を参照しながら、本発明の実施の形態について詳細に説明する。なお、遊技機には、例えば、パチンコ遊技機、アレンジボール機又は雀球遊技機等があるが、本発明の実施の形態１では、一例として、パチンコ遊技機に基づいて説明する。
【００１５】
（実施の形態１）
まず、本発明の一実施の形態である遊技機の遊技盤１０に係る構成について図１を用いて説明する。
【００１６】
図１は、本発明の一実施の形態である遊技機の遊技盤１０に係る構成を模式的に示した正面図である。図１に例示されるように、本実施の形態において、遊技機は、入賞装置、風車、障害釘等の遊技部品が配置された遊技領域１１を有する遊技盤１０を備えて構成されている。
【００１７】
遊技盤１０は、遊技機を遊技場に設置する際、設置面に対して略垂直に立設するようにして図示しない遊技盤保持枠に固定されている。すなわち、遊技盤１０の表面（以下、遊技面１０ａという。）は、図示しない透過部材を介して遊技者に対面するように配置されている。
【００１８】
本実施の形態において、遊技盤１０は、木材等を用いて平板状に形成され、上述したように、遊技面１０ａに入賞装置、風車、障害釘等の遊技部品を配設してなる遊技領域１１を有して構成されている。
【００１９】
遊技面１０ａには、図示しない発射装置により発射された遊技球を遊技領域１１に案内する役目を果たし、遊技領域１１を囲うように、遊技面１０ａに対して垂直に起立して配置された帯状の外ガイドレール１２が設けられている。
【００２０】
本実施の形態において、外ガイドレール１２の材質は、プラスチック製素材を用いて形成されている。なお、外ガイドレール１２の材質は、プラスチック製素材に限定されず、例えば、金属性素材等を用いて形成しても良い。
【００２１】
外ガイドレール１２は、遊技面１０ａを正面視すると左側下方から右側上方にかけて遊技領域１１を囲うように配置されている。具体的には、外ガイドレール１２の一端１２ａが、遊技面１０ａを正面視すると左側下方に配置され、他端１２ｂが、遊技面１０ａの右側上方に配置されている。そして、外ガイドレール１２は、外ガイドレール１２を可撓させて一端１２ａから他端１２ｂまで円弧を描くように湾曲して配置されている。
【００２２】
外ガイドレール１２の他端１２ｂの近傍には、遊技面１０ａを飾りつける飾り部材１５が配置されている。この飾り部材１５は、遊技面１０ａを正面視すると上方から下方に向かって遊技面１０ａに対して垂直に起立する起立面１５ａを有して構成されている。
【００２３】
飾り部材１５の起立面１５ａは、この起立面１５ａの上方に位置する外ガイドレール１２の他端１２ｂに連設して配置されている。そして、飾り部材１５の起立面１５ａの高さは、外ガイドレール１２の起立高さと同じ高さで形成されている。すなわち、飾り部材１５の起立面１５ａは、外ガイドレール１２と同様に、遊技領域１１を囲うように配置されている。
【００２４】
飾り部材１５の下方には、遊技状況を表示する表示装置２０が配置されている。表示装置２０は、遊技面１０ａから突出して配置されており、遊技面１０ａを正面視すると右側から中心側に向けて下方に傾斜させた直線状の傾斜面１８を有して構成されている。
【００２５】
表示装置２０の傾斜面１８は、この傾斜面１８の他端１８ｂが、遊技面１０ａを正面視すると傾斜面１８の右側に位置する飾り部材１５の起立面１５ａの他端に連設して配置されている。
【００２６】
一方、傾斜面１８の一端１８ａが、後述する内ガイドレール１３の一端１３ａに連接して配置されている。そして、傾斜面１８の高さは、起立面１５ａの起立高さと同じ高さで形成されている。すなわち、傾斜面１８は、起立面１５ａと同様に、遊技領域１１を囲うように配置されている。
【００２７】
なお、本実施の形態において、表示装置２０の位置については、遊技面１０ａを正面視すると右側下方に配置されているが、この位置に限定されず、例えば、中央下方等に配置しても良い。この場合、表示装置２０の傾斜面１８の代わりに、第２の飾り部材を設け、この第２の飾り部材は、表示装置２０と同様に、傾斜面を有して構成されている。
【００２８】
また、遊技面１０ａには、外ガイドレール１２と共に、図示しない発射装置により発射された遊技球を遊技領域１１に案内する役目を果たし、外ガイドレール１２と同様に、遊技領域１１を囲うように、遊技面１０ａに対して垂直に起立して配置された帯状の内ガイドレール１３が設けられている。
【００２９】
本実施の形態において、内ガイドレール１３の材質も、外ガイドレール１２の材質と同様に、プラスチック製素材を用いて形成されている。なお、内ガイドレール１３の材質も、プラスチック製素材に限定されず、例えば、金属性素材等を用いて形成しても良い。
【００３０】
内ガイドレール１３は、遊技面１０ａを正面視すると、外ガイドレール１２の内側に配置され、中央下方から左側上方にかけて遊技領域１１を囲うように配置されている。具体的には、内ガイドレール１３の一端１３ａが、遊技面１０ａを正面視すると中央下方に配置され、他端１３ｂが遊技面１０ａの左側上方に配置されている。そして、内ガイドレール１３は、内ガイドレール１３を可撓させて一端１３ａから他端１３ｂまで円弧を描くように湾曲して配置されている。
【００３１】
内ガイドレール１３は、上述したように、内ガイドレール１３の一端１３ａが、遊技面１０ａを正面視すると中央下方に配置されているが、この一端１３ａは、遊技面１０ａの軸よりも右側に配置されており、一端１３ａから遊技面１０ａの軸に向かって下方に傾斜しながら時計回り方向に緩やかに湾曲して配置されている。
【００３２】
すなわち、内ガイドレール１３は、遊技面１０ａの軸上において、最も下方に位置すると共に、この位置から他端１３ｂに向かって上方に傾斜しながら時計回り方向に緩やかに湾曲して配置されている。
【００３３】
このように、外ガイドレール１２の内側に内ガイドレール１３が配置され、これら外ガイドレール１２及び内ガイドレール１３は、所定の間隔を保って互いに対向して配置されている。そして、外ガイドレール１２及び内ガイドレール１３の間には、遊技球が通過可能なガイド通路１４が区画されている。
【００３４】
ガイド通路１４は、上述したように、外ガイドレール１２及び内ガイドレール１３の間に区画されている。そして、ガイド通路１４は、図示しない接続通路を介して図示しない発射装置に連接されている。
【００３５】
すなわち、ガイド通路１４は、発射装置により発射された遊技球が接続通路を通過した後、ガイド通路１４を通過することで、遊技球が遊技面１０ａの左側下方から左側上方に向かって飛び出すように区画されている。
【００３６】
このように、遊技面１０ａには、外ガイドレール１２、飾り部材１５、表示装置２０、内ガイドレール１３が連続して、互いに連接して配置されることで、ガイド通路１４及び遊技領域１１が隣接した状態で囲繞形成されている。
【００３７】
本実施の形態では、上述した構成に加えて、更に、内ガイドレール１３の他端１３ｂに、遊技盤１０に内ガイドレール１３の他端１３ｂ（先端）をビスにより取り付けるためのビス止め部３０が設けられている。また、ビス止め部３０には、このビス止め部３０を被覆するようにして球戻り防止部材５０が配置されている。
【００３８】
以下、内ガイドレール１３の他端１３ｂに設けられたビス止め部３０と、このビス止め部３０を被覆するようにして配置された球戻り防止部材５０について図２乃至図５を用いて説明する。
【００３９】
図２は、本発明の一実施の形態である遊技機の遊技盤１０に外ガイドレール１２及び内ガイドレール１３を取り付けた状態を模式的に示した斜視図であり、図３は、本発明の一実施の形態である遊技盤１０にビス止め部３０を取り付けた状態を模式的に示した拡大斜視図であり、図４は、本発明の一実施の形態である遊技盤１０にビス止め部３０を取り付け、更に、ビス止め部３０に球戻り防止部材５０を設けた状態を模式的に示した拡大斜視図であり、図５は、本発明の一実施の形態である球戻り防止部材５０の構成を模式的に示した斜視図である。なお、図５では、球戻り防止部材５０の裏面側を模式的に示した斜視図である。
【００４０】
図２に例示されるように、遊技機は、図示しない表示装置、飾り部材等の遊技部品が配置された遊技領域１１を有する遊技盤１０に、遊技領域１１を囲うように取り付けられた外ガイドレール１２及び内ガイドレール１３を備えて構成されている。
【００４１】
外ガイドレール１２は、遊技面１０ａを正面視すると左側下方から右側上方にかけて遊技領域１１を囲うように配置されていることは上述したとおりであるが、この位置に外ガイドレール１２を打ち込んで圧入により取り付けられている。なお、取り付け方法については、圧入により取り付ける方法に限定されず、例えば、外ガイドレール１２の外周側にビス止め部を設けてビス止めより取り付けても良い。
【００４２】
内ガイドレール１３は、遊技面１０ａを正面視すると、中央下方から左側上方にかけて遊技領域１１を囲うように配置されていることは上述したとおりであるが、この位置に内ガイドレール１３を打ち込んで圧入により取り付けられている。
【００４３】
本実施の形態において、内ガイドレール１３の他端１３ｂには、遊技盤１０に内ガイドレール１３の他端１３ｂをビスにより取り付けるためのビス止め部３０が設けられている。また、ビス止め部３０には、このビス止め部３０を被覆するようにして球戻り防止部材５０が配置されている。
【００４４】
図３に例示されるように、内ガイドレール１３の他端１３ｂ（先端）には、内ガイドレール１３を遊技盤１０に取り付けるためのビス止め部３０が設けられている。すなわち、内ガイドレール１３の他端１３ｂは、遊技盤１０にビスによりビス止めされて取り付けられている。
【００４５】
ビス止め部３０は、内ガイドレール１３の他端１３ｂに、遊技面１０ａに対して略平行になるように連結して設けられた平板状の本体部３１と、この本体部３１の幅広部に形成され、ビスを嵌挿させるためのビス孔３２とを有して構成されている。
【００４６】
本体部３１は、内ガイドレール１３の起立方向に対して遊技面１０ａ側に連結して配置されている。そして、本体部３１は、上述したように、遊技面１０ａに対して略平行になるように連結して設けられているため、本体部３１の裏面は、遊技面１０ａに当接して配置されている。このように、本体部３１の裏面が、遊技面１０ａに対して当接して配置され、本体部３１に設けられたビス孔３２にビスを嵌挿させることで、内ガイドレール１３の他端１３ｂを遊技面１０ａにより強固に取り付けることができる。
【００４７】
なお、本実施の形態において、ビス止め部３０は、上述したように、内ガイドレール１３の他端１３ｂに連結して設けられているものであり、内ガイドレール１３とは別体のものであるが、内ガイドレール１３及びビス止め部３０をプラスチック製素材により一体に形成しても良い。
【００４８】
図３及び図４に例示されるように、本実施の形態では、ビス止め部３０には、このビス止め部３０を覆うように配置された球戻り防止部材５０が設けられている。球戻り防止部材５０は、内ガイドレール１３の長手方向に沿った前縁側、すなわち、遊技者側から挿入して設けられている。このように、球戻り防止部材５０は、遊技者側から挿入することで、球戻り防止部材５０をビス止め部３０に容易に設けることができる。
【００４９】
図５に例示されるように、球戻り防止部材５０は、略長方形状に形成された本体部５１と、この本体部５１の長手方向の裏面５５ｂから突出して配置され、遊技球の衝突に起因して往復移動する往復移動部材６０とを備えて構成されている。
【００５０】
本体部５１は、上述したように、略長方形状に形成され、この本体部５１の短手方向には、幅広部と幅狭部とを有し、互いに対向して配置された表面５２ａ、裏面５２ｂが形成されている。そして、裏面５２ｂには、内ガイドレール１３の他端１３ｂに嵌め込む嵌め込み穴５３が形成されている。
【００５１】
嵌め込み穴５３は、球戻り防止部材５０を内ガイドレール１３の他端１３ｂに嵌め込む際、この嵌め込み穴５３に内ガイドレール１３の他端１３ｂを挿入させて嵌め込ませる役目を果たし、上述したように、球戻り防止部材５０を内ガイドレール１３の長手方向に沿った前縁側、すなわち、遊技者側から挿入することができ、これにより球戻り防止部材５０をビス止め部３０に容易に設けることができる。
【００５２】
本実施の形態では、球戻り防止部材５０の裏面５２ｂの外郭の形状は、幅広部と幅狭部とを有し、本体部３１の表面と同形状をなして形成されている。すなわち、球戻り防止部材５０の裏面５２ｂと本体部３１の表面とは、球戻り防止部材５０をビス止め部３０に設ける際に当接する面であるため、ビス止め部３０は、球戻り防止部材５０により完全に覆われている。
【００５３】
したがって、ビス止め部３０は、遊技者側から目視できない状態になっているので、遊技機の外観性を損なわせずに、内ガイドレール１３の他端１３ｂをビス止めにより遊技盤１０に取り付けることができる。
【００５４】
また、ビス止め部３０が遊技者側から目視できない状態になっているので、例えば、遊技球が内ガイドレール１３の他端１３ｂ近傍を通過する際、予期しない方向に転動させないようにすることができる。よって、遊技者に不快な思いをさせないようにすることができる。
【００５５】
一方、本体部５１の長手方向には、互いに対向して配置された表面５５ａ、裏面５５ｂが形成されている。この裏面５５ｂには、内ガイドレール１３の他端１３ｂに球戻り防止部材５０を嵌め込んだ際、球戻り防止部材５０の抜け止めを防止するストッパ５６と、往復移動部材６０の後述する応動部材５７及び軸支部材６１を収容する収容凹部５８とが形成されている。
【００５６】
ストッパ５６には、内ガイドレール１３の他端１３ｂに当接する側に凸部が形成されている。すなわち、球戻り防止部材５０を内ガイドレール１３の他端１３ｂに嵌め込んだ際、このストッパ５６の凸部が内ガイドレール１３の他端１３ｂをストッパ５６の他の部位よりも強く挟み込む役目をなしている。このように、ストッパ５６の凸部が内ガイドレール１３の他端１３ｂを挟み込むことで、球戻り防止部材５０の抜け止めを防止している。
【００５７】
なお、球戻り防止部材５０を内ガイドレール１３の他端１３ｂにより強固に挟み込むためには、内ガイドレール１３の他端１３ｂに、ストッパ５６の凸部に対応する位置に凹部を設けても良い。すなわち、この凹部にストッパ５６の凸部が係止されることで、球戻り防止部材５０の抜け止めを防止している。
【００５８】
また、本体部５１の収容凹部５８には、上述したように、往復移動部材６０の応動部材５７及び軸支部材６１が収容されている。この往復移動部材６０の応動部材５７及び軸支部材６１は、夫々、円筒形状をなして形成され、応動部材５７には芯部材５９が挿嵌され、軸支部材６１には、ピンが挿嵌されている。
【００５９】
応動部材５７の芯部材５９は、往復移動片５４よりも応動部材５７の方が重くなるように、重りとしての役目を果たし、ネジ等が用いられている。また、軸支部材６１のピンは、このピンを中心して往復移動片５４を本体部５１側に往復移動させる役目を果たしている。
【００６０】
すなわち、往復移動片５４は、通常、芯部材５９の重さにより回動部材５７が収容凹部５８に収容された状態で、本体部５１の長手方向の裏面５５ｂに対して斜め方向に突出して配置される。
【００６１】
そして、往復移動片５４に遊技球が衝突すると、軸支部材６１のピンを中心軸にして往復移動片５４が本体部５１の裏面５５ｂ側に移動し、裏面５５ｂに対して略平行に位置付けされる。また、遊技球の通過後、芯部材５９の重さにより往復移動片５４は元の位置に配置される。
【００６２】
次に、本実施の形態の遊技機の動作について図１乃至図５を用いて説明する。
ゲームの開始に際して、図示しない上皿に遊技球を入れ、図示しない操作ハンドルを廻すと、図示しない発射装置が作動する。この発射装置の作動に起因して、上皿から図示しない発射レールに遊技球が１個ずつ供給される。
【００６３】
発射レールに供給された遊技球は、図示しない打撃槌の打撃により外ガイドレール１２及び内ガイドレール１３により区画されたガイド通路１４に送り込まれる。ガイド通路１４に送り込まれた遊技球は、ガイド通路１４を通過して、遊技領域１１に到達する。
【００６４】
この時、ガイド通路１４を通過する際、遊技球は、内ガイドレール１３の他端１３ｂに設けられた球戻り防止部材５０の往復移動片５４を弾いて遊技領域１１に到達する。そして、遊技球が内ガイドレール１３の他端１３ｂを通過した際、往復移動片５４は応動部材５７の重さにより元に位置に戻る。すなわち、球戻り防止部材５０の往復移動片５４は、内ガイドレール１３の他端１３ｂを通過した遊技球が、ガイド通路１４に戻ることを防止する役目を果たす。
【００６５】
また、ビス止め部３０の表面の形状と球戻り防止部材５０の裏面５２ｂの形状とは、同形状をなして形成されているため、これにより、球戻り防止部材５０がビス止め部３０を完全に覆うことで、遊技球がビス止め部３０を通過する際、遊技球が予期せぬ方向へ転動することを防止することができる。よって、遊技者を不快な思いをさせないようにすることができる。
【００６６】
また、本実施の形態では、内ガイドレール１３の他端１３ｂは、ビスによりビス止めされているが、このビス止め部３０が球戻り防止部材５０により覆われているため、遊技者からは目視できないようになっている。
【００６７】
このように、ビス止め部３０を遊技者から目視できない、すなわち、外観上目視できない状態にすることで、遊技機の外観性を損なわせずに、内ガイドレール１３の他端１３ｂをビス止めすることができる。
【００６８】
（付記１）
入賞装置、風車、障害釘等の遊技部品が配置された遊技領域１１を有する遊技盤１０と、上記遊技盤１０に上記遊技領域１１を囲うように取り付けられた外ガイドレール１２及び内ガイドレール１３と、上記外ガイドレール１２及び上記内ガイドレール１３の間に区画され、上記遊技領域１１に遊技球を案内するガイド通路１４と、上記遊技領域１１に臨む上記内ガイドレール１３の先端に設けられ、上記遊技領域１１に案内された上記遊技球が上記ガイド通路１４に戻ることを防止する球戻り防止部材５０と、を少なくとも備える遊技機において、上記内ガイドレール１３の先端に、上記内ガイドレール１３を上記遊技盤１０にビスにより取り付けるためのビス止め部３０を設けると共に、上記ビス止め部３０を被覆するように上記球戻り防止部材５０を設けたことを特徴とする遊技機。
（付記２）
上記ビス止め部３０及び上記球戻り防止部材５０が当接する当接面の形状は、同形状をなして形成されること、を特徴とする付記１記載の遊技機。
（付記３）
上記内ガイドレール１３は、樹脂により形成されることを特徴とする付記１又は２記載の遊技機。
（付記４）
上記球戻り防止部材５０は、上記内ガイドレール１３の長手方向に沿った前側縁から挿入して設けられることを特徴とする付記１又は２記載の遊技機。
（付記５）
上記球戻り防止部材５０は、上記遊技領域１１に遊技球を導出させる際に開き、上記遊技球の通過後に閉じる往復移動部材６０を具備することを特徴とする付記１又は２記載の遊技機。
【符号の説明】
【００６９】
１０      遊技機
１１      遊技領域
１２      外ガイドレール
１３      内ガイドレール
１４      ガイド通路
１５      飾り部材
１７      排出口
１８      傾斜面
２０      表示装置
３０      ビス止め部
３１      本体部
３２      ビス孔
５０      球戻り防止部材
５１      本体部
５３      嵌め込み穴
５４      往復移動片
５６      ストッパ
５７      応動部材
５８      収容凹部
５９      芯部材
６０      往復移動部材
６１      軸支部材
【図１】
2011083350.tif 000003
【図２】
2011083350.tif 000004
【図３】
2011083350.tif 000005
【図４】
2011083350.tif 000006
【図５】
2011083350.tif 000007